(57)【要約】      （修正有）【課題】消費者が農水産物購入額に多じて、ポイントを活用し、生活必需品から、住宅リフォーム工事に還元するポイント管理システムを提供する。【解決手段】ポイント管理者６より、全国の農水産物直売所３にアクセスできるコンピュータネットワーク７を介して、生産者名、出荷日、品名、価格を表示したバーコードを発行し、そのバーコードを出荷された農水産出荷物に貼付けて、販売商品として、店頭に展示する。消費者２がそのバーコード付の販売商品を各直売所３で購入すると、消費者２のポイントカードに購入金額に応じて、リフォームポイントとして加算し、精算時に加算された、リフォームポイントは、前記コンピュータネットワークに内蔵されたデータ記録部に情報蓄積され、予め登録されたリフォーム工事業者の中から工事業者４を選択することにより、各直売所３がリフォーム業者４へ工事の依頼をする。【選択図】図１
2011175631.tif 000002
【特許請求の範囲】
【請求項１】
全国の農水産物直売所にアクセスできるコンピュータネットワークを介して、ポイント管理者より、ネットワークを活用し、生産者から直売所に農水産出荷物が出荷されると、各直売所では、前記コンピュータネットワークを介して、前記農水産出荷物に対し、消費者の購入金額に還元するリフォームポイントカードを発行すると共に、各消費者がポイント商品に還元する際には、予め前記コンピュータネットワークに登録された商品での交換品とし、リフォーム工事依頼は、リフォーム工事業者の中から、消費者がリフォーム工事業者を選択すると、前記コンピュータを介して、前記各直売所が前記消費者が選択したリフォーム工事業者にリフォーム工事依頼がなされる事を特徴とする、ポイントサービス管理システムの、農水産物リフォームポイントのサービスシステム。
【請求項２】
上記の各直売所より、上記コンピュータネットワークにアクセスし、該コンピュータネットワークに登録蓄積されるデータ記録から、一定期間の売上実積や、消費者のポイントに応じた還元商品との交換情報を取得し、今後の農水産出荷物の出荷量や品揃えと上記リフォーム工事業者の登録調整情報を上記コンピュータネツトワークを介して取得する事を特徴とする請求項１に記載の農水産物リフォームポイントのサービスシステム。
【請求項３】
上記の各直売所へ、消費者の購入したリフォームポイント還元商品に対し、システム管理者より、ポイントカード機材、生活必需品などを地方発送提供し、消費者の購買意欲と、直売所の農水産物売上向上、リフォームによる売上向上を目指す事を特徴とする請求項１、請求項２、請求項３に記載の農水産物リフォームポイントのサービスシステム。
【発明の詳細な説明】
【技術分野】
【０００１】  本発明は、農水産物リフォームポイントのサービスシステムに関する。
【背景技術】
【０００２】  従来のポイント仕組みは、販売店側の商品交換ポイントとして、還元している。【０００３】  以下、従来のポイント仕組みの一例について説明する。ポイントは１００円ごとに１ポイント還元とし、指定する商品の商品代金値引きとして、行使ができるが、商品の中にはポイントの還元及び、行使できないものがある。たとえば特別価格商品、チケット、修理料、工事料、設置料、レンタル料などの支払いには、還元及び行使できない。エコポイント、家電ポイント、住宅エコポイントなど数多くあるポイントは、その全ては販売側の商品交換などに還元したものが多い。
【先行技術文献】
【０００４】
【特許文献】
【０００５】
【特許文献１】  特開平２００２−１８３８３８号公報
【発明の概要】
【発明が解決しようとする課題】
【０００６】  以上に述べた従来のポイント仕組みは、販売店の商品還元に伴い、販売側の売上向上と、消費者の購買意欲に還元する事を基本に、ポイントを発行している。販売側のサービス品交換引き換えとして、商品を購入するものとなり、修理料、工事料、設置料、特別価格商品、チヶット、レンタル料などは行使できないシステムとなっている。従来のポイント仕組みとの違いの本発明は、直売所と連携した、リフォームポイント管理者が、顧客の購入したサービスポイントを元に、リフォームポイントとして消費者に還元するサービスを特徴とするもので、従来の販売店側の利益還元ではなく、消費者個人へ還元とする目的と、直売所が、消費者の住宅リフォーム工事の依頼を請負する事により、地域全体の活性化につながり、住宅関連業者へ工事の波及効果を生み出す事ができるリフォームポイントのサービスシステムである。【０００７】  本発明は、このような従来の仕組み構成が有していた問題を解決しようとするものであり、消費者が農水産物購入額に多じて、ポイントを活用し、生活必需品から、住宅リフォーム工事に還元するポイント管理システムを提供する、農水産物リフォームポイントのサービスシステムである。
【課題を解決するための手段】
【０００８】  本発明は、上記目的を達成するために、［請求項１］のポイント管理者より、全国の農水産物直売所にアクセスできるコンピュータネットワークを介して、生産者名、出荷日、品名、価格を表示したバーコードを付与するために、前記コンピューターに内蔵されたデーターにアクセスして、該当するバーコードを発行し、そのバーコードを出荷された農水産出荷物に貼付けて、販売商品として、店頭に展示する。【０００９】消費者がそのバーコード付の販売商品を各直売所で購入すると、消費者のポイントカードに購入金額に応じて、リフォームポイントとして加算し、精算時に加算された、リフォームポイントは、前記コンピュータネットワークに内蔵されたデータ記録部に情報蓄積される。【００１０】［請求項２］の各直売所より、前記コンピュータネットワークにアクセスし、一定期間の売上実積や、前回照会時との、比較値を表示したり、消費者がポイントに応じて、還元商品との交換情報は、データー記録部に登録蓄積される。【００１１】住宅リフォームの還元には、［請求項２］の各直売所より、予め前記コンピュータネットワークに登録されたリフォーム工事業者の中から工事業者を選択することができ、各直売所がリフォーム業者へ工事の依頼をする。【００１２】又、リフォームポイント数値は、各直売所がポイント数値比率の設定額を定める事で、利益還元方式とし、その利益の中から消費者への商品代、リフォーム工事業者への工事代を支払うものである。【００１３】上記［請求項３］に記載のシステム管理者は、直売所の売上実積や、顧客データなど、ポイント管理者を通して、コンピユータネツトワーク情報を活用し、各直売所へ、ポイント機材、還元商品を提供、商品発送する。
【発明の効果】
【００１４】上述したように、本発明の農水産物リフォームポイントのサービスシステムは、今までにない、消費者の購買により、商品交換と、住宅リフォームに還元するポイントのサービスシステムを提供するもので、それにより地元リフォーム関連業者への波及効果に繋がり、地域全体の活性化と、経済効果を生み出す。
【図面の簡単な説明】
【図１】農水産物リフォームポイントのサービスシステムのフローを示す説明図である。
【発明の実施するための最良の形態】
本発明の実施の形態を図１を参照して説明する。
【実施例】
【００１５】図１は、本発明に係る一実施例を図示する説明図である。【００１６】図中の符号１は生産者で、農水産物の生産出荷意欲が増し、売上高向上を目指す。【００１７】符号２は、消費者で、毎日の食料品購入金額に多じて、リフォームポイントを獲得し、ポイントカードを作る事で、直売所の会員として生活必需品交換から、住宅リフォーム還元サービスポイントカードとして、活用できる。【００１８】符号３は、直売所で、農水産物リフォームポイントのサービスシステムにより、顧客確保に役立ち、農水産物の販売売上と、リフォーム工事依頼の売上を目指す。【００１９】符号４は、リフォーム工事業者で、直売所より、リフォーム工事依頼を請負、住宅関連工事の改装費など、付加価値を付ける事で、業績を伸ばす。【００２０】符号５は、農水産出荷物で、５ａは、販売商品である。【００２１】符号６は、ポイント管理者で、各直売所への顧客データ管理、ポイント情報、提供等。【００２２】符号７は、コンピュータネットワークで、直売所とポイント管理者との情報交換システム。【００２３】符号８は、システム管理者で、直売所へのポイント機材提供、還元商品など、ポイント管理者とコンピュータネットワークで情報交換し、各直売所へ商品を提供する。【００２４】符号９は、リフォームポイント情報である。【００２５】符号１０は、顧客データ記録情報である。【００２６】符号１１は、ポイントカードである。【００２７】符号１２は、直売所のリフォーム発注・依頼である。【００２８】符号１３は、リフォーム工事代請求である。【００２９】符号１４は、生産者売上支払いである。【００３０】符号１５は、還元商品を発送するものである。
以下、上記構成の動作を図１を用いて以下説明する。
生産者１から直売所３に出荷された農水産出荷物５は、直売所３で売出されることにより、消費者２への販売商品５ａとなる。その農水産出荷物５に対し、ポイント還元商品として提供、消費者２の購買意欲を引き出す事で、直売所３の売上向上に繋がり消費者２には，ポイントカード１１のシステムを活用する事で、商品交換から住まいのリフォームに還元するポイントカード１１を発行する。消費者２より、リフォームの依頼１２があれば、直売所３は、リフォーム業者４への工事発注を依頼１２すると共に、その顧客データ記録情報１０は、ポイント管理者６へ情報提供し、システム管理者８のもと蓄積され、システム管理者８より、ポイント機材の提供、還元商品１５などを提供される事で、直売所３は、売上実積や、顧客データ、、リフォーム業者４からの工事代請求１３などの情報など、ポイント管理者６へコンピュータネットワーク７を使い、開示できるものとし、生産者１への売上支払い１４、リフォーム業者への支払いなど、コンピュータネットワーク７を用いて、リフォームポイント情報９を得ることができる。
【産業上の利用可能性】
【００３１】  農水産物リフォームポイントのサービスシステムは、全国の各直売所と、環境庁が進める住宅エコポイント、グリーン家電エコポイント、エコ・アクションポイント等と、連携したポイントサービスとして構築できれば、全国的に産業上の利用可能性が高まる事になる。
【符号の説明】１  生産者
２  消費者（顧客）
３  直売所
４  リフォーム業者
５  農水産出荷物
５ａ  販売商品
６  ポイント管理者
７  コンピュータネットワーク
８  システム管理者
９  リフォームポイント情報
１０  顧客データ記録情報
１１  ポイントカード
１２  リフォーム発注・依頼
１３  工事代請求
１４  売上支払い
１５  還元商品
【図１】
2011175631.tif 000003